(57)【特許請求の範囲】
【請求項１】
送信所特定装置であって、
所定の送信所から送出された放送波を受信する受信手段と、
前記送信所から送出される放送波と同一の内容のＴＳ信号を、前記送信所からの放送波と同一の周波数の放送波になるように変調を施して基準放送波を生成する基準放送波生成手段と、
予め用意した、基準放送波と所定の送信所から送出された放送波との間の遅延量の関係を示した遅延プロファイルのパターンが複数記憶されている遅延プロファイルパターン記憶部と、
前記受信手段で受信した受信放送波と前記基準放送波とに基づいて遅延プロファイルを生成する遅延プロファイル生成手段と、
前記生成した遅延プロファイルと、前記遅延プロファイルパターン記憶手段に記憶されている遅延プロファイルパターンとを比較し、前記受信放送波を送出した送信所を特定する特定手段と
を有することを特徴とする送信所特定装置。
【請求項２】
前記特定手段は、予め用意した、基準放送波と所定の送信所から送出された放送波との間の遅延量と、前記生成した遅延プロファイルに示される、前記受信放送波と前記基準放送波との間の遅延量とを比較することにより、前記受信放送波を送出した送信所を特定することを特徴とする請求項１に記載の送信所特定装置。
【請求項３】
前記基準放送波生成手段は、基準放送波の電波強度を、送信所が正常に稼働している時の受信放送波の電波強度と異なるように基準放送波を生成することを特徴とする請求項１又は請求項２に記載の送信所特定装置。
【請求項４】
前記特定手段によって送信所が特定された受信放送波の電波強度が閾値以下であるかを比較し、比較結果に応じて、送信所の稼働状況を検知する検知手段を有することを特徴とする請求項１から請求項３のいずれかに記載の送信所特定装置。
【請求項５】
前記遅延プロファイル生成手段は、前記受信手段がパイロットキャリアに対して該パイロットキャリアのデータを取得するときに、前記遅延量に応じて設定されているデータ取得数でスキップ取得した受信放送波と、前記基準放送波とに基づいて、遅延プロファイルを生成することを特徴とする請求項１から請求項４のいずれかに記載の送信所特定装置。
【請求項６】
基準放送波生成手段は、前記ＴＳ信号に変調を施した変調波と、前記受信放送波との間の遅延量に基づいて、前記ＴＳ信号を調整する調整手段を有することを特徴とする請求項１から請求項５のいずれかに記載の送信所特定装置。
【請求項７】
送信所特定装置であって、
所定の送信所から送出された放送波を受信する受信手段と、
前記送信所から送出される放送波と同一の内容のＴＳ信号を、前記送信所からの放送波と同一の周波数の放送波になるように変調を施して基準放送波を生成する基準放送波生成手段と、
予め用意した、基準放送波と所定の送信所から送出された放送波との間の遅延量の関係を示した遅延プロファイルのパターンが複数記憶されている遅延プロファイルパターン記憶部と、
前記受信手段で受信した受信放送波と前記基準放送波との遅延プロファイルを生成する遅延プロファイル生成手段と、
前記生成した遅延プロファイルと、前記遅延プロファイルパターン記憶手段に記憶されている遅延プロファイルパターンとを比較し、前記受信放送波を送出した送信所を特定する特定手段と
前記特定手段によって送信所が特定された受信放送波の電波強度が閾値以下であるかを比較し、比較結果に応じて、送信所の稼働状況を検知する検知手段
を有することを特徴とする送信所特定装置。
【請求項８】
送信所特定方法であって、
所定の送信所から送出された放送波を受信する受信ステップと、
前記送信所から送出される放送波と同一の内容のＴＳ信号を、前記送信所からの放送波と同一の周波数の放送波になるように変調を施して基準放送波を生成する基準放送波生成ステップと、
前記受信手段で受信した受信放送波と前記基準放送波とに基づいて遅延プロファイルを生成する遅延プロファイル生成ステップと、
前記生成した遅延プロファイルと、予め用意した、基準放送波と所定の送信所から送出された放送波との間の遅延量の関係を示した遅延プロファイルのパターンが複数記憶されている遅延プロファイルパターン記憶部に記憶されている遅延プロファイルパターンとを比較し、前記受信放送波を送出した送信所を特定する特定ステップと
を有することを特徴とする送信所特定方法。
【請求項９】
送信所特定装置のプログラムであって、前記プログラムは前記特定装置を、
所定の送信所から送出された放送波を受信する受信手段と、
前記送信所から送出される放送波と同一の内容のＴＳ信号を、前記送信所からの放送波と同一の周波数の放送波になるように変調を施して基準放送波を生成する基準放送波生成手段と、
前記受信手段で受信した受信放送波と前記基準放送波とに基づいて遅延プロファイルを生成する遅延プロファイル生成手段と、
前記生成した遅延プロファイルと、予め用意した、基準放送波と所定の送信所から送出された放送波との間の遅延量の関係を示した遅延プロファイルのパターンが複数記憶されている遅延プロファイルパターン記憶部に記憶されている遅延プロファイルパターンとを比較し、前記受信放送波を送出した送信所を特定する特定手段と
して機能させることを特徴とするプログラム。
【発明の詳細な説明】
【技術分野】
【０００１】
本願発明は、受信した放送波により放送した送信所を特定する技術に関する。
【背景技術】
【０００２】
一般に、地上デジタル放送のＳＦＮ（Single Frequency Network）では、遅延波による影響を把握することが重要になっている。そのため、直接波又は遅延波を検出することが重要となり、直接波又は遅延波を検出するために必要となる遅延プロファイルを測定する技術が開示されている（例えば特許文献１）。
【０００３】
特許文献１に開示される遅延プロファイル測定装置は、異なる伝搬路を経て到来したＯＦＤＭ（Orthogonal Frequency Division Multiplexing）方式の電波を受信し、該受信信号をサンプリングして演算処理を行うことにより、各到来波の到達タイミングと強度とを含む波形情報を遅延プロファイルとして求める。一方、遅延プロファイルの処理過程により、遅延プロファイルの波形情報中に現れる到来波のサイドローブ誤差と等価なサイドローブデータを生成し、この生成されたサイドローブデータを用いて、求めた遅延プロファイルのサイドローブ誤差を抑圧補正するものである。
上記のような構成により、遅延プロファイル測定部の測定結果に含まれるサイドローブ誤差を抑圧でき、各到来波の正確な強度を求めることができ、また、サイドローブに埋もれている微弱な電波の存在およびその遅延プロファイルを得ることができる。
【先行技術文献】
【特許文献】
【０００４】
【特許文献１】特開２００８−０６６８５８号公報
【発明の概要】
【発明が解決しようとする課題】
【０００５】
上述した通り、遅延プロファイルを解析して、直接波又は遅延波を検出する技術はあるが、放送波を送出した送信所を特定する技術は開示されていない。
【０００６】
そこで、本願発明が解決しようとする課題は、上記問題点を解決することであり、遅延プロファイルを用いて送信所を特定する技術を提供することにある。
【課題を解決するための手段】
【０００７】
上記課題を解決するための本願発明は、送信所特定装置であって、所定の送信所から送出された放送波を受信する受信手段と、前記送信所から送出される放送波と同一の内容のＴＳ信号を、前記送信所からの放送波と同一の周波数の放送波になるように変調を施して基準放送波を生成する基準放送波生成手段と、前記受信放送波と前記基準放送波とに基づいて遅延プロファイルを生成する遅延プロファイル生成手段と、前記生成した遅延プロファイルに示される、基準放送波と受信放送波との間の遅延量に基づいて、前記受信放送波を送出した送信所を特定する特定手段とを有することを特徴とする。
【０００８】
上記課題を解決するための本願発明は、送信所特定方法であって、所定の送信所から送出された放送波を受信する受信ステップと、前記送信所から送出される放送波と同一の内容のＴＳ信号を、前記送信所からの放送波と同一の周波数の放送波になるように変調を施して基準放送波を生成する基準放送波生成ステップと、前記受信放送波と前記基準放送波とに基づいて遅延プロファイルを生成する遅延プロファイル生成ステップと、前記生成した遅延プロファイルに示される、基準放送波と受信放送波との間の遅延量に基づいて、前記受信放送波を送出した送信所を特定する特定ステップとを有することを特徴とする。
【０００９】
上記課題を解決するための本願発明は、送信所特定装置のプログラムであって、前記プログラムは前記特定装置を、所定の送信所から送出された放送波を受信する受信手段と、前記送信所から送出される放送波と同一の内容のＴＳ信号を、前記送信所からの放送波と同一の周波数の放送波になるように変調を施して基準放送波を生成する基準放送波生成手段と、前記受信放送波と前記基準放送波とに基づいて遅延プロファイルを生成する遅延プロファイル生成手段と、前記生成した遅延プロファイルに示される、基準放送波と受信放送波との間の遅延量に基づいて、前記受信放送波を送出した送信所を特定する特定手段として機能させることを特徴とする。
【発明の効果】
【００１０】
本発明によると、受信した放送波の遅延プロファイルを用いて、送信所を特定することができる。
【図面の簡単な説明】
【００１１】
【図１】本願における放送システムの概略図である。
【図２】本願の送信所特定装置の一例を示すブロック図である。
【図３】遅延プロファイルパターン記憶部に記憶されるパターンを説明するための図である。
【図４】第１の形態の動作を説明するためのフロー図である。
【図５】遅延プロファイル生成部によって生成される遅延プロファイルの一例である。
【図６】第２の形態の動作を説明するためのフロー図である。
【図７】放送システムの一例である。
【図８】遅延プロファイルパターン記憶部に記憶されるパターンの一例である。
【図９】遅延プロファイル生成部によって生成される遅延プロファイルの一例である。
【図１０】遅延量とデータ取得数の関係を示したグラフである。
【図１１】第４の実施の形態における送信所特定装置の一例を示すブロック図である。
【図１２】調整部の一例を示すブロック図である。
【図１３】第４の実施の形態の動作を説明するためのフロー図である。
【発明を実施するための形態】
【００１２】
本願発明は、送信所から送出された放送波と、送信所から送出される放送波と同一の内容のＴＳ（Transport Stream）信号を送信所からの放送波と同一の変調をした基準となる基準放送波とに基づいて遅延プロファイルを生成し、この生成した遅延プロファイルに示される、基準放送波と受信放送波との間の遅延量に基づいて、受信放送波を送出した送信所を特定することを特徴とする。
【００１３】
本発明の特徴を詳細に説明するために、以下において、図面を参照して述べる。
【００１４】
〈第１の実施の形態〉
まず、第１の実施の形態について説明する。
【００１５】
本願発明の放送システムは、単一周波数ネットワーク（ＳＦＮ：Single Frequency Network）で構成されており、図１に示す通り、送信所１と送信所特定装置２とを有する。
【００１６】
送信所１は、放送局で生成されたＴＳ（Transport Stream）信号を所定の変調方式で変調して、デジタル放送波（ＲＦ）として送出する送信所である。以下の説明ではＯＦＤＭ（Orthogonal Frequency Division Multiplexing）変調された放送波を送出するものとして説明するが、変調方式はＯＦＤＭ以外であっても良い。また、以下の説明では、送信所１は送信所１Ａと１Ｂとの２つ設けられている構成を用いて説明する。
【００１７】
送信所特定装置２は、図２に示す通り、受信部２０１、ＴＭＣＣ部２０２、変調部２０３、遅延プロファイル生成部２０４、遅延プロファイルパターン記憶部２０５、比較部２０６、特定部２０７、及びＩＦ／ＲＦ変換部２０８を有する。
【００１８】
受信部２０１は、送信所１から送出された放送波を受信する。
【００１９】
ＴＭＣＣ（Transmission and Multiplexing Configuration and Control）部２０２は、受信部２０１が受信した信号の、モードやガードインターバルやキャリア変調方式等の変調パラメータを検出する。
【００２０】
変調部２０３には、受信部２０１が受信する放送波（送信所１から送信される放送波）と同一の内容のＴＳ信号が入力される。そして、変調部２０３は、ＴＭＣＣ部２０２で検出された変調パラメータ及び基準クロックに従い、変調パラメータや、ＩＦＦＴのサンプル周波数や、ガードインターバルの期間等が、受信部２０１で受信される放送波の変調パラメータや、ＩＦＦＴのサンプル周波数や、ガードインターバルの期間等と同一になるように、入力されたＴＳ信号を変調する。尚、信号レベルは、基準放送波と受信放送波とを区別しやすくなるレベル程度に制御するのが好ましい。
更に、変調部２０３は、内部メモリに蓄積する時間を調整し、受信部２０１で受信される放送波に対して、遅延量が“０”となる基準放送信号を生成する。
以下の説明では、基準放送波と送信所１Ａから送出された放送波との間の遅延量は１８μｓ、基準放送波と送信所１Ｂから送出された放送波との間の遅延量は３５μｓというように、各放送波間の遅延量が均等になるように基準放送波が生成される場合を用いて説明する。また、変調部２０３が生成する基準放送信号は、受信部２０１が受信する放送波と区別しやすくするため、送信所が正常に稼働している時の受信放送波の電波強度と異なる電波強度にするのが好ましく、以下の説明では基準放送波の電波強度が高くなるように生成される場合を用いて説明する。
【００２１】
ＩＦ／ＲＦ変換部２０８は、基準クロックに従い、受信部２０１で受信される放送波と同一の周波数となるように、すなわち、受信部２０１で受信される放送波と同一のＳＦＮの関係を維持できるように、変調部２０３から出力される基準放送信号をＩＦからＲＦに変換し、基準放送波を出力する。
【００２２】
遅延プロファイル生成部２０４は、受信部２０１が受信した受信放送波と、ＩＦ／ＲＦ変換部２０８から出力された基準放送波とを解析して、遅延プロファイルを生成する。
【００２３】
遅延プロファイルパターン記憶部２０５には、基準放送波と受信した放送波との遅延量の関係を示す遅延プロファイルパターンが記憶されている。この遅延プロファイルパターンは、基準放送波と各送信所からの放送波とから予め作成する。一例を図３に示す。尚、上述した通り、基準放送波は送信所１Ａから送出された放送波との間の遅延量を１８μｓ、送信所１Ｂから送出された放送波との間の遅延量を３５μｓとなるように生成されるため、遅延プロファイルパターンも同量の遅延量で生成する。（ａ）は、基準放送波に基づいて生成した遅延プロファイルのパターンを示している。（ｂ）は、基準放送波と送信所１Ａから送出された放送波とに基づいて生成した遅延プロファイルのパターンを示している。（ｃ）は、基準放送波と送信所１Ｂから送出された放送波とに基づいて生成した遅延プロファイルのパターンを示している。（ｄ）は、基準放送波と送信所１Ａから送出された放送波と送信所１Ｂから送出された放送波とに基づいて生成した遅延プロファイルのパターンを示している。
【００２４】
比較部２０６は、遅延プロファイル生成部２０４で生成された遅延プロファイルと、遅延プロファイルパターン記憶部２０５に記憶されている各パターンとを比較し、いずれのパターンと近いかを判別する。
【００２５】
特定部２０７は、比較部２０６において、遅延プロファイル生成部２０４で生成された遅延プロファイルに近いと判別されたパターンに基づいて、受信部２０１が受信している放送波を送出している送信所を特定する。例えば、比較部２０６が図３（ａ）に示されているパターンと近いと判別した場合、どちらの送信所からも放送波が送出されていないと認識する。比較部２０６が図３（ｂ）に示されているパターンと近いと判別した場合、送信所１Ａからの放送波を受信していると特定する。比較部２０６が図３（ｃ）に示されているパターンと近いと判別した場合、送信所１Ｂからの放送波を受信していると特定する。比較部２０６が図３（ｄ）に示されているパターンと近いと判別した場合、送信所１Ａ及び送信所１Ｂからの放送波を受信していると特定する。
【００２６】
続いて、動作について図４のフロー図を用いて説明する。尚、遅延プロファイルパターン記憶部２０５には、既に各パターンが記憶されているものとして説明する。
【００２７】
受信部２０１が、放送波を受信する（ステップＳ４０１）。
【００２８】
ＴＭＣＣ部２０２が、受信部２０１が受信した信号の変調パラメータを検出する（ステップＳ４０２）。
【００２９】
変調部２０３は検出した変調パラメータ及び基準クロックに基づいてＴＳ信号を変調し、ＩＦ／ＲＦ変換部２０８は基準クロックに基づいて受信部２０１で受信される放送波と同一周波数の基準放送波を出力する（ステップＳ４０３）。
【００３０】
遅延プロファイル生成部２０４は、受信部２０１が受信した受信放送波と、変調部２０３で生成された基準放送波とを解析して、遅延プロファイルを生成する（ステップＳ４０４）。
【００３１】
比較部２０６は、遅延プロファイル生成部２０４で生成された遅延プロファイルと、遅延プロファイルパターン記憶部２０５に記憶されている各パターンとを比較する（ステップＳ４０５）。
【００３２】
比較部２０６は、まず、パターン（ａ）と比較する（ステップＳ４０６）。比較の結果、比較部２０６がパターン（ａ）に近いと判定すると（ステップＳ４０６：ＹＥＳ）、特定部２０７は何れの送信所からも放送波が送出されていないと推定する（ステップＳ４１０）。一方、パターン（ａ）に近いと判定されなかった場合（ステップＳ４０６：ＮＯ）、比較部２０６はパターン（ｂ）と比較する（ステップＳ４０７）。比較の結果、比較部２０６がパターン（ｂ）に近いと判定すると（ステップＳ４０７：ＹＥＳ）、受信した放送波は送信所１Ａからの放送波であると特定する（ステップＳ４１１）。
【００３３】
また、パターン（ｂ）に近いと判定されなかった場合（ステップＳ４０７：ＮＯ）、比較部２０６はパターン（ｃ）と比較する（ステップＳ４０８）。比較の結果、比較部２０６がパターン（ｃ）に近いと判定すると（ステップＳ４０８：ＹＥＳ）、受信した放送波は送信所１Ｂからの放送波であると特定する（ステップＳ４１２）。
【００３４】
更に、パターン（ｃ）に近いと判定されなかった場合（ステップＳ４０８：ＮＯ）、比較部２０６はパターン（ｄ）と比較する（ステップＳ４０９）。比較の結果、比較部２０６がパターン（ｄ）に近いと判定すると（ステップＳ４０９：ＹＥＳ）、受信した放送波は送信所１Ａ及び１Ｂからの放送波であると特定する（ステップＳ４１３）。
【００３５】
比較の結果、何れのパターンとも近いと判定されなかった場合（ステップＳ４０９：ＮＯ）、ステップＳ４０１に戻る。
【００３６】
尚、上記実施の形態では、遅延プロファイルパターン記憶部２０５に記憶されている各パターンと比較することにより送信所を特定していたが、他の方法であってもよい。一例を説明する。予め、各送信所から送信される放送波の遅延量を送信所毎に遅延プロファイルパターン記憶部２０５に記憶させておく。そして、遅延プロファイル生成部２０４で作成された遅延プロファイルに基づいて、受信した放送波と基準放送波との間の遅延差を算出する。この算出した遅延差と、遅延プロファイルパターン記憶部２０５に記憶されている遅延量とを比較することにより、受信した放送波を送出した送信所を特定してもよい。
【００３７】
また、上記実施の形態では、ＴＭＣＣ部２０２は変調パラメータを毎回検出し、この検出した変調パラメータに基づいてＴＳ信号を変調する構成を用いて説明したが、初動時又は定期的に検出した変調パラメータに基づいてＴＳ信号を変調する構成であってもよい。
【００３８】
また、上記実施の形態では、ＩＦ／ＲＦ変換部２０８がＩＦからＲＦに変換した基準放送波を遅延プロファイル生成部２０４に入力する構成を用いて説明したが、ＲＦに変換した基準放送波を受信部２０１で受信放送波と混合して受信される構成であってもよい。
【００３９】
また、上記実施の形態において、遅延プロファイルパターン記憶部２０５が、基準放送波と受信した放送波との遅延量の関係を示す遅延プロファイルパターンを、基準放送波と各送信所からの放送波とから予め作成する方法として、例えば、遅延プロファイル生成部２０４で解析した遅延波のイベントリストを基にして比較用のデータを作成することも出来る。
【００４０】
上記実施の形態によると、受信した放送波の遅延プロファイルを用いて、送信所を特定することができる。
【００４１】
〈第２の実施の形態〉
続いて、第２の実施の形態について説明する。尚、上記実施の形態と同様の構成については同一番号を付し、詳細な説明は省略する。
【００４２】
本実施の形態の比較部２０６は、上記第１の実施の形態の動作に加えて、受信した放送波の電波強度を監視し、閾値より低いか否かを判定する。以下に、一例をあげて本実施の形態の比較部２０６の詳細について説明する。尚、閾値を−２０ｄＢとした場合を用いて説明する。
【００４３】
例えば、図５（Ａ）に示すような遅延プロファイルが遅延プロファイル生成部２０４によって生成されたとする。すると、比較部２０６は、まず何れのパターンに近いかを判定する。図５（Ａ）に示されているパターンの場合、比較部２０６は、基準放送波と受信放送波との間の遅延差が１８μｓであるため、図３に示されているパターン（ｂ）に近いと判定する。更に、比較部２０６は受信放送波の電波強度が閾値より低いか否かを判定する。図５（Ａ）に示す例では、受信放送波の電波強度が閾値“−２０ｄＢ”よりも低いため、比較部２０６は、遅延プロファイル生成部２０４によって生成された遅延プロファイルはパターン（ｂ）に近い旨と電波強度が閾値より低い旨を特定部２０７に通知する。特定部２０７は、この通知を受けて、受信した放送波は送信所１Ａからであり、且つ、送信所１Ａにおいて何かしらのトラブルが発生しているために、電波強度が下がっていることを認識する。
【００４４】
また、例えば、図５（Ｂ）に示すような遅延プロファイルが遅延プロファイル生成部２０４によって生成されたとする。すると、比較部２０６は、まず何れのパターンに近いかを判定する。比較部２０６は、基準放送波と受信放送波との間の遅延差が１８μｓと３５μｓであるため、パターン（ｄ）に近いと判定する。比較部２０６は、更に各受信放送波の電波強度が閾値より低いか否かを判定する。図５（Ｂ）に示す例では、遅延差が１８μｓである受信放送波の電波強度が閾値“−２０ｄＢ”よりも低いため、比較部２０６は、遅延プロファイル生成部２０４によって生成された遅延プロファイルはパターン（ｄ）に近い旨と遅延差が１８μｓである放送波の電波強度が閾値より低い旨を特定部２０７に通知する。特定部２０７は、この通知を受けて、受信した放送波は送信所１Ａ及び１Ｂからであり、且つ、送信所１Ａにおいて何かしらのトラブルが発生しているために、電波強度が下がっていることを認識する。
【００４５】
また、比較部２０６は、遅延プロファイル生成部２０４によって生成された遅延プロファイルが図３（ａ）に近いと判定すると、特定部２０８は何れの送信所からも放送波が送出されていないとして、送信所１Ａ及び１Ｂ共に何かしらのトラブルが発生していると認識する。
【００４６】
続いて、本実施の形態の動作について、図６のフロー図を用いて説明する。尚、ステップＳ４０５までは、上記実施の形態と同じであるため、Ｓ４０６から説明する。
【００４７】
比較部２０６は、パターン（ａ）と比較する（ステップＳ４０６）。比較の結果、比較部２０６がパターン（ａ）に近いと判定すると（ステップＳ４０６：ＹＥＳ）、特定部２０７は何れの送信所からも放送波が送出されていないと推定する（ステップＳ４１０）。特定部２０８は何れの送信所からも放送波が送出されていないとして、送信所１Ａ及び１Ｂ共に何かしらのトラブルが発生していると認識する（ステップＳ４１６）。
【００４８】
パターン（ａ）に近いと判定されなかった場合（ステップＳ４０６：ＮＯ）、比較部２０６はパターン（ｂ）と比較する（ステップＳ４０７）。比較の結果、比較部２０６がパターン（ｂ）に近いと判定すると（ステップＳ４０７：ＹＥＳ）、受信した放送波は送信所１Ａからの放送波であると特定する（ステップＳ４１１）。更に比較部２０６は、受信放送波の電波強度が閾値以下であるかを比較する（ステップＳ４１４）。比較の結果、閾値以下で無いと判定された場合（ステップＳ４１４：ＮＯ）、送信所１Ａは正常運転していると認識する（ステップＳ４１５）。一方、比較の結果、閾値以下であると判定された場合（ステップＳ４１４：ＹＥＳ）、送信所１Ａにトラブルが発生していると認識する（ステップＳ４１６）。
【００４９】
パターン（ｂ）に近いと判定されなかった場合（ステップＳ４０７：ＮＯ）、比較部２０６はパターン（ｃ）と比較する（ステップＳ４０８）。比較の結果、比較部２０６がパターン（ｃ）に近いと判定すると（ステップＳ４０８：ＹＥＳ）、受信した放送波は送信所１Ｂからの放送波であると特定する（ステップＳ４１２）。更に比較部２０６は、受信放送波の電波強度が閾値以下であるかを比較する（ステップＳ４１４）。比較の結果、閾値以下で無いと判定された場合（ステップＳ４１４：ＮＯ）、送信所１Ｂは正常運転していると認識する（ステップＳ４１５）。一方、比較の結果、閾値以下であると判定された場合（ステップＳ４１４：ＹＥＳ）、送信所１Ｂにトラブルが発生していると認識する（ステップＳ４１６）。
【００５０】
パターン（ｃ）に近いと判定されなかった場合（ステップＳ４０８：ＮＯ）、比較部２０６はパターン（ｄ）と比較する（ステップＳ４０９）。比較の結果、比較部２０６がパターン（ｄ）に近いと判定すると（ステップＳ４０９：ＹＥＳ）、受信した放送波は送信所１Ａ及び１Ｂからの放送波であると特定する（ステップＳ４１３）。更に比較部２０６は、受信放送波の電波強度が閾値以下であるかを比較する（ステップＳ４１４）。比較の結果、送信所１Ａ及び１Ｂのそれぞれについて、閾値以下で無いと判定された場合（ステップＳ４１４：ＮＯ）、正常運転していると認識する（ステップＳ４１５）。一方、比較の結果、閾値以下であると判定された場合（ステップＳ４１４：ＹＥＳ）、基準放送波と受信放送波との間の遅延量を参照し、何れの送信所にトラブルが発生しているかを把握する（ステップＳ４１６）。
【００５１】
上記本実施の形態によると、受信した放送波の送信所を特定できる上に、その送信所の稼働状態も監視することができる。
【００５２】
〈第３の実施の形態〉
第３の実施の形態について説明する。尚、上記実施の形態と同様の構成については同一番号を付し、詳細な説明を省略する。
【００５３】
本実施の形態では、異常検出時間にリアルタイム性を持たせるために、例えばＩＳＤＢ−Ｔ（Integrated Services Digital Broadcasting-Terrestrial）方式のスキャッタードパイロット（ＳＰ）キャリアを利用して遅延プロファイルを得る場合、受信部２０１からのＳＰデータの取得数を間引く構成である。
【００５４】
図１０は、基準放送波と受信放送波との間の遅延量に基づいて作成した、基準放送波と所定の送信所から送出された放送波との間の遅延量の関係を示したグラフである。尚、このグラフ縦軸の遅延量は、一例として、ＩＳＤＢ−Ｔ方式のモード３の伝送パラメータにおける遅延プロファイルの時間軸幅の値としている。このグラフは、ＳＰキャリアに対してそのデータ取得をスキップ取得するときに間引く割合と、遅延プロファイルパターン記憶部２０５に格納されている、比較部２０６で比較する基となるデータの遅延量との関係を表している。遅延プロファイル生成部２０４は、基準放送波と受信放送波との間の遅延量に基づいて、グラフを参照して遅延プロファイル生成に必要とするデータ数の値を取得し、必要なデータ数分のＳＰデータを取得する。
【００５５】
本実施の形態によると、ＳＰデータの取得数を間引く構成をとっているため、遅延プロファイル解析を速くすることが出来る。また、上記構成を第２の実施の形態に適用させた場合、稼働状況検知にリアルタイム性を持たせることが出来る。そして、比較・特定する遅延量が小さい値の場合、大きな割合でデータ取得をスキップすることができ、取得数を減らすことで遅延プロファイル解析から異常検出までの時間を短縮することが出来る。
【００５６】
更に、本実施の形態によると、受信部２０１においてＳＰデータの取得にシリアル通信を用いている場合や、その他ハード的な要因を含めてデータ取得手続きに時間を要する場合などに有効と考えられる。
【００５７】
〈第４の実施の形態〉
第４の実施の形態について説明する。尚、上記実施の形態と同様の構成については同一番号を付し、詳細な説明を省略する。第４の実施の形態では、図１１に示す通り、受信部２０１が受信した受信信号が変調部２０３にも入力される。また、変調部２０３内に調整部２０３１が構成されている。
【００５８】
調整部２０３１は、入力されるＴＳ信号に変調及び復調分の遅延量を加味したものと、受信部２０１が受信した放送波との間の遅延量を調整する。調整部２０３１は、図１２に示す通り、遅延時間測定部２０３３、及び遅延部２０３４を有する。
【００５９】
遅延時間測定部２０３３は、ＴＳ信号と受信した放送波との間の遅延量を測定する。以下に遅延量の差を測定する方法の一例として、ＴＳ信号のＰＣＲ（Program Clock Reference）から算出する方法を記載するが、遅延量を測定できれば別の方法であっても良い。遅延時間測定部２０３３は、同一のクロックで自走しているカウンタＡ（図示せず）とカウンタＢ（図示せず）とを有する。遅延時間測定部２０３３は、ＴＳ信号のＰＣＲを取り出し、ＰＣＲのカウンタ値をカウンタＡにセットし、更に入力された基準クロック信号に基づいてカウンタを加算する。また、遅延時間測定部２０３３は、受信した放送波のＰＣＲを取り出し、ＰＣＲのカウンタ値をカウンタＢにセットし、更に入力された基準クロック信号に基づいてカウンタを加算する。遅延時間測定部２０３３は、任意のタイミングでカウンタＡとカウンタＢとのカウンタ値を同時に読み込み、カウンタ値の差を算出し、それに受信した放送波から取り出したカウンタ値に含まれる変調及び復調分の遅延量を加味して遅延部２０３４の遅延量とする。
【００６０】
遅延部２０３４は、遅延時間測定部２０３３が算出した遅延量に基づいて、入力されたＴＳ信号を遅延調整して基準放送信号を生成する。
【００６１】
尚、上記では、入力されるＴＳ信号に変調及び復調分の遅延量を加味したものと、受信部２０１が受信した放送波との間の遅延量を調整する構成について説明したが、他の構成であってもよい。例えば、図１２の波線矢印のように、遅延部２０３４を介したＴＳ信号に変調及び復調分の遅延量を加味したものと、または、ＴＭＣＣ部２０２で検出された変調パラメータ及び基準クロックに従って変調されたＴＳ信号と、受信部２０１が受信した放送波との間の遅延量を調整する構成であってもよい。
【００６２】
動作について、図１３のフロー図を用いて説明する。尚、本動作は、上記実施の形態で説明したステップＳ４０３の詳細な動作となる。
【００６３】
遅延時間測定部２０３３は、ＴＳ信号のＰＣＲを取り出し、ＰＣＲのカウンタ値をカウンタＡにセットし（ステップＳ１３０１）、更に入力された基準クロック信号に基づいてカウンタを加算する（ステップＳ１３０２）。続いて、遅延時間測定部２０３３は、受信した放送波のＰＣＲを取り出し、ＰＣＲのカウンタ値をカウンタＢにセットし（ステップＳ１３０３）、更に入力された基準クロック信号に基づいてカウンタを加算する（ステップＳ１３０４）。遅延時間測定部２０３３は、任意のタイミングでカウンタＡとカウンタＢとのカウンタ値を同時に読み込み、変調及び復調分の遅延量を加味して遅延量を算出する（ステップＳ１３０５）。遅延部２０３４は、遅延時間測定部２０３３が算出した遅延量に基づいて、入力されたＴＳ信号を調整することにより、基準放送波信号の遅延量を調整する（ステップＳ１３０６）。
【００６４】
〈実施例１〉
上記第１の実施の形態の実施例について説明する。図７は本実施例における放送システムの一例である。本実施例において、送信所はＴタワーとＳツリーであるとする。
【００６５】
図８の（i）は、基準放送波の遅延プロファイルパターンを示している。（ii）は、基準放送波とＳツリーからの放送波との遅延プロファイルパターンを示している。（iii）は、基準放送波とＴタワーからの放送波との遅延プロファイルパターンを示している。（iv）は、基準放送波とＳツリーからの放送波とＴタワーからの放送波との遅延プロファイルパターンを示している。
【００６６】
受信部２０１が、放送波を受信すると、比較部２０６は、遅延プロファイル生成部２０４で生成された遅延プロファイルと、遅延プロファイルパターン記憶部２０５に記憶されている各パターンとを比較する。
【００６７】
比較部２０６は、まず、パターン（i）と比較し、パターン（i）に近いと判定すると、特定部２０７はＳツリーからもＴタワーからも放送波が送出されていないと推定する。
【００６８】
パターン（i）に近いと判定されなかった場合、比較部２０６はパターン（ii）と比較する。比較の結果、比較部２０６がパターン（ii）に近いと判定すると、受信した放送波はＳツリーからの放送波であると特定する。
【００６９】
パターン（ii）に近いと判定されなかった場合、比較部２０６はパターン（iii）と比較する。比較の結果、比較部２０６がパターン（iii）に近いと判定すると、受信した放送波はＴタワーからの放送波であると特定する。
【００７０】
パターン（iii）に近いと判定されなかった場合、比較部２０６はパターン（iv）と比較する。比較の結果、比較部２０６がパターン（iv）に近いと判定すると、受信した放送波はＳツリー及びＴタワーからの放送波であると特定する。
【００７１】
〈実施例２〉
上記第２の実施の形態の実施例について図９を用いて説明する。図９は、遅延プロファイル生成部２０４が生成した遅延プロファイルである。以下の説明では、トラブル発生と認識する閾値を、Ｓツリーは−２０ｄＢ、Ｔタワーは−３０ｄＢとする。
【００７２】
受信部２０１が、放送波を受信すると、比較部２０６は、遅延プロファイル生成部２０４で生成された遅延プロファイルと、遅延プロファイルパターン記憶部２０５に記憶されている各パターンとを比較する。
【００７３】
比較部２０６は、まず、パターン（i）と比較し、パターン（i）ではないと判定する。次に、比較部２０６はパターン（ii）と比較し、パターン（ii）ではないと判定する。次に、比較部２０６はパターン（iii）と比較し、パターン（iii）ではないと判定する。次に、比較部２０６はパターン（iv）と比較してパターン（iv）に近いと判定する。
【００７４】
判定した結果、受信した放送波はＳツリー及びＴタワーからの放送波であると特定する。
【００７５】
比較部２０６は、各受信放送波の電波強度と各閾値とを比較する。図９に示した例では、基準放送波との間の遅延量が３５μｓの放送波の電波強度が閾値−３０ｄＢよりも低いため、その旨を特定部２０７に通知する。特定部２０７は、Ｔタワーにトラブルが発生していることを把握する。
【００７６】
また、電波の休止期間をあらかじめ登録しておき、休止による異常通知をマスクすることも可能とする。
【００７７】
上述した本発明の端末は、上記説明からも明らかなように、ハードウェアで構成することも可能であるが、コンピュータプログラムにより実現することも可能である。このような構成の場合、プログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【００７８】
以上、実施の形態及び実施例をあげて本発明を説明したが、本発明は必ずしも上記実施の形態及び実施例に限定されるものではなく、その技術的思想の範囲内において様々に変形し実施することが出来る。
【符号の説明】
【００７９】
１    送信所
２    送信所特定装置
２０１  受信部
２０２  ＴＭＣＣ
２０３  変調部
２０４  遅延プロファイル生成部
２０５  遅延プロファイルパターン記憶部
２０６  比較部
２０７  特定部
２０８  ＩＦ／ＲＦ変換部
２０３１  調整部
２０３２  変調部
２０３３  遅延時間測定部
２０３４  遅延部
【図１】
0005845119.tif 000002
【図２】
0005845119.tif 000003
【図３】
0005845119.tif 000004
【図４】
0005845119.tif 000005
【図５】
0005845119.tif 000006
【図６】
0005845119.tif 000007
【図７】
0005845119.tif 000008
【図８】
0005845119.tif 000009
【図９】
0005845119.tif 000010
【図１０】
0005845119.tif 000011
【図１１】
0005845119.tif 000012
【図１２】
0005845119.tif 000013
【図１３】
0005845119.tif 000014